(57)【特許請求の範囲】
【請求項１】
段ボールからなる外装と、
前記外装の少なくとも一部を接合し、互いに離間して配置された２以上の接合部と、
互いに離間して配置された２以上の前記接合部を縫製することにより接合する、１の糸状体からなる接合手段と、を備え、
前記１の糸状体は、引かれることにより互いに離間して配置された２以上の前記接合部を分離する分離手段を兼ねていることを特徴とする包装装置。
【請求項２】
前記分離手段は、前記糸状体の中間部において前記外装の外面側に露出して設けられた非縫製部分に配置された引き位置を有し、前記引き位置が引かれることにより２以上の前記接合部を同時に分離することを特徴とする請求項１に記載の包装装置。
【請求項３】
前記引き位置は、前記糸状体の略中央に配置され、
２以上の前記接合部における前記糸状体による縫製部は、前記糸状体の前記引き位置に対して略対称に配置されることを特徴とする請求項２に記載の包装装置。
【請求項４】
２以上の前記接合部は、前記外装の異なる面に設けられていることを特徴とする請求項１から請求項３のいずれかに記載の包装装置。
【請求項５】
２以上の前記接合部の少なくとも１つは、前記外装内に梱包される被包装物の長辺を含む面に相対する前記外装の面に設けられていることを特徴とする請求項１から請求項４のいずれかに記載の包装装置。
【請求項６】
前記分離手段により前記接合部を分離することで、前記外装内に梱包される被包装物の長辺を含む面に相対する前記外装の面を含む、前記外装の２以上の面が開放可能になることを特徴とする請求項１から請求項５のいずれかに記載の包装装置。
【請求項７】
前記分離手段により前記接合部を分離することにより、前記外装の少なくとも１つの面が、前記外装の他の部分から分離されることを特徴とする請求項１から請求項６のいずれかに記載の包装装置。
【発明の詳細な説明】
【技術分野】
【０００１】
この発明は、包装装置に関するものである。
【背景技術】
【０００２】
従来における包装装置として、段ボール製の箱が広く知られている。これは、段ボール板を箱状に形成したものであり、平板状の段ボールを立体的な箱体に組み上げたものである。そして、この平板状の段ボールを立体的な箱体に組み上げる際には、例えば略筒状に形成した段ボール板の端部同士を重ね合わせた上で接合することが多い。
このような段ボールからなる包装装置においては、接合部を糸を用いて縫製するものが従来知られている（例えば、特許文献１参照）。
【０００３】
また、以上のようにして構成された段ボールからなる包装装置においては、被包装物を包装装置内部に納めた後、蓋部分を閉じテープ等で封じることにより梱包する。そして、梱包された被包装物を包装装置から取り出す際には、蓋部分を開けるか、接合部や包装の一部を分離すること等によって、被包装物の少なくとも一面が外部に開放されるように開梱する必要がある。なお、ここで、この開梱される部分は、保管や輸送中に開放されてしまうことがないよう十分な強度を有し、かつ、容易に開梱可能であって被包装物が取り出し易いことが要求される。
【０００４】
そこで、従来における段ボールからなる包装装置においては、段ボール箱の左右の側板に略垂直方向全高にわたってミシン目を形成し、このミシン目に沿って包装体を引き裂くことにより、包装体の箱体前面を開梱することができるように構成されたものが知られている（例えば、特許文献２参照）。
【０００５】
また、段ボール箱の側板の内面側にカットテープを予め接着し、その端部に舌片を設けておき、舌片を引き起こしてカットテープの方向へと引くことにより、このカットテープに沿って包装体を引き裂いて開梱することができるように構成されたものも、従来知られている（例えば、特許文献３参照）。この特許文献３に記載されたものは、縦方向及び横方向の２つのカットテープを設けておき、開梱部分を横方向に開放することが可能なようにしたものである。
【先行技術文献】
【特許文献】
【０００６】
【特許文献１】実開昭５５−１１０４２０号公報
【特許文献２】特許第２５６３３４７号公報
【特許文献３】実開平０２−１４８９２４号公報
【発明の概要】
【発明が解決しようとする課題】
【０００７】
ここで、以上のように構成された包装装置から被包装物を取り出せるように開梱するためには、一辺以上にわたる接合部や切断部（ミシン目やカットテープ部分）を分離する必要がある。しかしながら、以上に挙げたような従来における包装装置においては、被包装物が略直方体状、特に大型箱状、である場合、分離が必要である一辺の長さが長くなる、又は、分離が必要である箇所が複数の辺に跨ってしまうことにより、開梱作業が煩雑なものとなり、利便性が低下してしまうという課題がある。
【０００８】
例えば、特許文献１に示されたものにおいては、接合部を分離するために当該接合部を縫製する糸を引き解す必要がある。しかしながら、被包装物が略直方体状（特に大型箱状）であって、分離する接合部の一辺が長く、又は、分離する接合部が複数の辺に跨って存在する場合には、糸を引き解す長さが長くなり途中で糸が切れてしまう等の不具合が発生する懸念が高まったり、複数箇所の糸を引き解す必要があって作業が煩雑であったりするという課題がある。
【０００９】
また、特許文献２に示されたものにおいても、被包装物が略直方体状であって、分離する切断部の一辺が長く、又は、分離する切断部が複数の辺に跨って存在する場合には、この切断部を分離する作業が非常に煩雑であるという課題がある。そして、特許文献３に示されたものにおいては、分離する切断部が複数箇所存在するため、これらの切断部を分離する作業が非常に煩雑であるという課題がある。
【００１０】
この発明は、このような課題を解決するためになされたもので、接合部を分離することによる開梱を容易に行うことができ、被包装物を取り出しやすい包装装置を得るものである。
【課題を解決するための手段】
【００１１】
この発明に係る包装装置においては、段ボールからなる外装と、前記外装の少なくとも一部を接合し、互いに離間して配置された２以上の接合部と、互いに離間して配置された２以上の前記接合部を縫製することにより接合する、１の糸状体からなる接合手段と、を備え、前記１の糸状体は、引かれることにより互いに離間して配置された２以上の前記接合部を分離する分離手段を兼ねている構成とする。
【発明の効果】
【００１２】
この発明に係る包装装置においては、接合部を分離することによる開梱を容易に行うことができ、被包装物を取り出しやすいという効果を奏する。
【図面の簡単な説明】
【００１３】
【図１】この発明の実施の形態１に係る包装装置の全体構成を示す斜視図である。
【図２】この発明の実施の形態１に係る包装装置の展開図である。
【図３】この発明の実施の形態２に係る包装装置の全体構成を示す斜視図である。
【図４】この発明の実施の形態２に係る包装装置の展開図である。
【図５】この発明の実施の形態３に係る包装装置の全体構成を示す斜視図である。
【図６】この発明の実施の形態３に係る包装装置の展開図である。
【図７】この発明の実施の形態３に係る包装装置の開梱方法を説明する図である。
【図８】この発明の実施の形態４に係る包装装置の全体構成及び開梱方法を示す斜視図である。
【図９】この発明の実施の形態５に係る包装装置の全体構成を示す斜視図である。
【図１０】この発明の実施の形態５に係る包装装置の展開図である。
【図１１】この発明の実施の形態５に係る包装装置の被包装物の取出方法を説明する図である。
【図１２】この発明の実施の形態６に係る包装装置の全体構成を示す図である。
【図１３】この発明の実施の形態６に係る包装装置の開梱状態を示す図である。
【発明を実施するための形態】
【００１４】
この発明を添付の図面に従い説明する。各図を通じて同符号は同一部分又は相当部分を示しており、その重複説明は適宜に簡略化又は省略する。
【００１５】
実施の形態１．
図１及び図２は、この発明の実施の形態１に係るもので、図１は包装装置の全体構成を示す斜視図、図２は包装装置の展開図である。
これらの図において、１は、包装装置の外装である。この外装１の材料は段ボールが用いられている。この外装１は、展開した状態では略長方形状である。そして、この略長方形の対向する辺部同士を互いに接合するように折り曲げることにより、外装１は略角筒状に形成される。この互いに接合される外装１の辺部には複数の接合部が形成されており、これら複数の接合部において接合されることにより、外装１が前記略角筒状を保持している。これらの接合部は、フラップ２と縫製糸３の一部とから構成されている。
【００１６】
フラップ２は、互いに接合される外装１の２つの辺部のうちの一方の端部に設けられている。このフラップ２は、所定の間隔だけ離間した状態で複数設けられており、ここでは、当該辺部の両端にそれぞれ１つずつ計２つ設けられている。従って、当該辺部の中央部にはフラップは設けられていない。これらのフラップ２は、接合部の接合代となるものである。ずなわち、これらのフラップ２は、互いに接合される外装１の２つの辺部のうちの他方と重ね合わされた状態で、次に説明する接合手段である縫製糸３により縫製されることにより接合される。
【００１７】
縫製糸３は、すぐ前で述べたように、フラップ２を接合するための糸状体からなる接合手段を構成している。すなわち、互いに接合される外装１の２つの辺部のうちの一方に設けられたフラップ２と、他方の辺部とを重ね合わせた状態において、この重合部が１本の縫製糸３によって縫製されている。こうして、外装１は、接合部において縫製糸３により接合されている。
【００１８】
ここで、フラップ２は複数あるため重合部も複数あることになるが、これら複数の重合部は、同じ１本の縫製糸３でもって縫製されている。すなわち、フラップ２と前記他方の辺部との重合部においては、これらの両方が縫製糸３によって縫合されており、フラップ２のない当該辺部の中央においては、前記他方の辺部のみが縫製糸３によって縫製されている。そして、この縫製糸３による一連の縫製部４は一続きになっている。
【００１９】
こうして、フラップ２と、縫製糸３のうちフラップ２を縫製する部分とにより、外装１の一部を接合する接合部が構成される。そして、この接合部は複数設けられており、これら複数の接合部は１本の糸状体からなる接合手段である縫製糸３により接合されている。
【００２０】
また、縫製糸３は、縫製部４の一端である始点４ａにおいて、人が掴める程度に外装１の外面側へと延長されている。そして、この始点４ａの縫製糸３の一端を人が引くと、引いた箇所から順に縫製部４を引き解すことができる。こうして、縫製部４の他端である終点４ｂまで縫製部４が引き解されると、縫製糸３により縫合されていたフラップ２における接合は分離される。すなわち、１本の縫製糸３を引き解すことにより、複数の接合部を分離することができる。この意味で、この縫製糸３は、複数の接合部を接合する接合手段と、これら複数の接合部を分離する分離手段と、を兼ねている。
【００２１】
このように構成された包装装置においては、複数の接合部が縫製糸３により接合されて外装１が略角筒状（スリーブ状）に形成される。そして、外装１が略垂直に立てられた状態で、その内部に被包装物が収納されることにより、被包装物の四方の側面が覆われて梱包される。なお、この被包装物としては、略長方体状の電気機器を想定している。この包装を開梱する際には、まず、始点４ａの縫製糸３の一端を引く。そして、そのまま縫製糸３を終点４ｂまで引き上げることにより、縫製部４を引き解す。すると、外装１の下端側及び上端側にそれぞれ設けられている複数の接合部における縫製糸３による接合が解かれて、これらの接合部が分離する。
【００２２】
接合部が分離すると、略角筒状の外装１の一辺が完全に分離されるため、外装１を横方向に展開することが可能になる。従って、分離した接合部から外装１を横方向に開いて開梱し、被包装物を包装装置から容易に取り出すことができる。
【００２３】
なお、ここでは、フラップ２すなわち接合部を２箇所設けたが、３箇所以上設けるようにしてもよい。また、始点４ａを下側に設けるようにしたが、外装１の形態やサイズによっては始点４ａを上側に、終点４ｂを下側に設けるようにしてもよい。ただし、外装１が垂直方向に長い場合には、始点４ａを下側に設けるようにした方が、上部まで手が届かない場合でも開梱することができる。
【００２４】
さらにまた、以上においては、縫製部４を略垂直方向に設けているが、この縫製部４を略水平方向に設けるようにしてもよい。縫製部４を略水平方向に設けた場合には、分離手段によりこの縫製部４を引き解すことにより、外装１が上下に分割されることになる。
【００２５】
以上のように構成された包装装置は、接合部を分離して包装の一辺を開くことによって、被包装物を容易に取り出すことができる。従って、一般的な、被包装物の４つの側面を覆うスリーブ状の外装の場合には、外装を上部に引き上げて開梱する必要があり、天井が低い屋内では作業が困難であったが、このような困難を解消することができる。また、一辺を開放するために、より短い縫製部分を引き解すだけでよく、途中で糸が切れて分離できなくなる懸念を少なくすることができる。
【００２６】
そして、このため、被包装物を取り出しやすく、特に腕力が少ない高齢者、身体障害者や子供が開梱しやすいユニバーサルデザインの包装を提供することができる。また、加えて、縫製が糸でなされるため、金属ステープルなどを用いることがなく、包装廃棄時の分別が不要であるため、取り扱いが簡単な包装を提供することができる。
【００２７】
実施の形態２．
図３及び図４は、この発明の実施の形態２に係るもので、図３は包装装置の全体構成を示す斜視図、図４は包装装置の展開図である。
前述した実施の形態１は、外装が被包装物の四方の側面を覆うスリーブ状のものであった。これに対し、ここで説明する実施の形態２においては、外装は四方の側面に加えて天面も含む五面を覆うようになっている。そして、接合手段及び分離手段である縫製糸により、側面と天面に係る２辺に設けられた複数の接合部を接合／分離するようしたものである。
【００２８】
外装１には４つの側面部と天面部が設けられており、４つの側面部を先の実施の形態１と同様に略角筒状とした上で、天面部により略角筒状の上側の開放端を覆うことにより、外装１は底面が開放された略直方体状に形成される。そして、側面部同士が接合する部分と、側面部と天面部とが接合する部分に、それぞれフラップ２が設けられて縫製糸３により縫製されることにより接合部が形成される。
【００２９】
すなわち、まず、側面部同士が接合される部分については、先の実施の形態１と同様、互いに接合される２つの側面部のうちの一方の端部に複数のフラップ２が設けられている。そして、当該フラップ２が設けられた側面部における、天面部と接合する端部にも複数のフラップ２が設けられている。これらのフラップ２は、側面部側と天面部側において、それぞれ２つずつ計４つが所定の間隔だけ離間した状態で設けられている。換言すると、複数のフラップ２は外装１の１面における隣接する２辺に設けられている。
【００３０】
接合手段である縫製糸３は、これら複数のフラップ２と接合される面との重合部を縫合することにより、側面部同士及び側面部と天面部とをそれぞれ接合している。ここで、フラップ２は複数あるため重合部も複数あることになるが、実施の形態１と同様、これら複数の重合部は、同じ１本の縫製糸３でもって縫製されている。そして、この縫製糸３による一連の縫製部４は一続きになっている。
【００３１】
こうして、フラップ２と、縫製糸３のうちフラップ２を縫製する部分とにより、外装１の一部である側面部同士及び側面部と天面部とをそれぞれ接合する複数の接合部が構成される。そして、これら複数の接合部は１本の糸状体からなる接合手段である縫製糸３により接合されている。この縫製糸３による縫製部４は、側面部同士の接合部の下側が始点４ａになっており、この始点４ａからまず上方へと向かって側面部同士の２つの接合部を縫製している。そして、側面部同士の接合部を縫製し終えると、続けて側面部と天面部との接合部の一方を縫製し、側面部と天面部との接合部の他方を縫製し終えた箇所が終点４ｂとなっている。
【００３２】
また、実施の形態の１と同様、縫製糸３は、縫製部４の一端である始点４ａにおいて、人が掴める程度に外装１の外面側へと延長されている。そして、この始点４ａの縫製糸３の一端を人が引くと、引いた箇所から順に縫製部４を引き解すことができる。こうして、縫製部４の他端である終点４ｂまで縫製部４が引き解されると、縫製糸３により縫合されていたフラップ２における接合は分離される。すなわち、１本の縫製糸３を引き解すことにより、複数の接合部を分離することができる。この意味で、この縫製糸３は複数の接合部を分離する分離手段でもある。
【００３３】
このように構成された包装装置においては、複数の接合部が縫製糸３により接合されて外装１が底面が開放された略直方体状に形成される。そして、外装１が天面を上方にするように略垂直に立てられた状態で、その内部に被包装物が収納されることにより、被包装物の四方の側面及び天面が覆われて梱包される。この包装を開梱する際には、まず、側面部同士の下側の接合部に設けられた始点４ａの縫製糸３の一端を引く。そして、縫製糸３を側面部同士の上側の接合部まで引き上げることにより、側面部同士の接合部の縫製部４を引き解す。その後、そのまま、縫製糸３を引くと今度は側面部と天面部との接合部における縫製部４が引き解される。終点４ｂまで縫製部４が引き解されると、外装１の側面部同士及び側面部と天面部とをそれぞれ接合する複数の接合部における縫製糸３による接合が解かれて、これらの接合部が分離する。
【００３４】
こうして、複数の接合部が分離すると、外装１の側面及び天面を開放することが可能になる。従って、分離した接合部から外装１の側面及び天面を開いて開梱し、被包装物を包装装置から容易に取り出すことができる。
なお、他の構成については実施の形態１と同様であって、その詳細説明は省略する。
【００３５】
以上のように構成された包装装置は、実施の形態１の構成において、２以上（複数）の接合部を、外装の異なる面（側面部と天面部）に設けたものである。
このため、実施の形態１と同様の効果を奏することができるのに加えて、被包装物が冷蔵庫や給湯器のように縦長で、天面部に手が届かないような場合に、接合部がテープで止められていたり、あるいは、ミシン目を形成した段ボールを切り開く形態の包装では、天面部を開放するのは容易ではないが、本実施の形態の包装装置においては、分離手段である糸を引き解すことで容易に開放することができる。
【００３６】
また、２以上の接合部の少なくとも１つを、被包装物の長辺を含む面に相対する外装の面に設けているため、開梱した際に被包装物を容易に取り出すことができる。
【００３７】
実施の形態３．
図５から図７は、この発明の実施の形態３に係るもので、図５は包装装置の全体構成を示す斜視図、図６は包装装置の展開図、図７は包装装置の開梱方法を説明する図である。
ここで説明する実施の形態３は、前述した実施の形態１において、縫製部のうち接合部（フラップの重合部）を縫合していない部分については縫製しないようにし、この部分を外装の外面側に露出させて、当該部分を開梱時の引き位置にしたものである。
【００３８】
すなわち、実施の形態１と同じく、外装１は、複数の接合部において接合されることにより、４つの側面部を有する略角筒状に形成されている。複数の接合部は、外装１の側面部同士が接合される辺部分において、上端側と下端側の２箇所に、所定の間隔だけ離間して設けられている。これらの接合部は、フラップ２と接合される面との重合部が１本の縫製糸３により縫合されて形成される。これら２つの接合部における縫製部４同士は、縫製糸３の非縫製部分（縫製されていない部分）によって連結される。そして、この縫製糸３の非縫製部分における略中央が、開梱手段の引き位置３ａとなる。引き位置３ａを含む縫製糸３の非縫製部分は、外装１の外面側に露出している。
【００３９】
この際、２つの接合部の縫製部４は、縫製糸３の引き位置３ａに対して略対称に配置されている。ここでは、外装１の側面部同士が接合される辺部分において上端側と下端側の２箇所に接合部が設けられており、これらの接合部の縫製部４の内側同士の間に縫製糸３の非縫製部分が配置されている。そして、縫製糸３の非縫製部分の略中央が引き位置３ａであり、すなわち、２つの接合部の縫製部４が、縫製糸３の引き位置３ａに対して略対称に配置されている。
【００４０】
このように構成された包装装置において包装を開梱する際には、まず、縫製糸３の引き位置３ａを引く。すると、上下の接合部の縫製部４が、それぞれ内側から引き解されていく。ここで、前述のごとく接合部の縫製部４は引き位置３ａに対して略対称に配置されている。このため、縫製糸３の引き位置３ａを引くことにより各縫製部４にかかる力がほぼ等しくなり、各縫製部４が均等に引き解されるようになり、縫製部４を引き解す作業をスムーズに行うことができる。そして、そのまま、縫製糸３の引き位置３ａを引き続けると、上下それぞれの接合部における縫製糸３による接合が同時に解かれて、これらの接合部が分離する（図７）。
なお、他の構成については実施の形態１と同様であって、その詳細説明は省略する。
【００４１】
以上のように構成された包装装置においては、１箇所の引き位置を引くことによって、略対称の位置に設けた複数の接合部の縫製部分を同時に引き解すことができて、糸を解しとる距離が実施の形態１に比べてさらに短くすることが可能であり、糸が途中で切れる懸念をさらに少なくすることができる。
【００４２】
実施の形態４．
図８はこの発明の実施の形態４に係るもので、包装装置の全体構成を示す斜視図である。
ここで説明する実施の形態４は、前述した実施の形態２のように側面部同士及び側面部と天面部との接合部に接合手段及び開梱手段を設けた包装装置において、前述した実施の形態３のように、縫製部のうち接合部（フラップの重合部）を縫合していない部分については縫製しないようにし、この部分を外装の外面側に露出させて、当該部分を開梱時の引き位置とするようにしたものである。
【００４３】
図８では、本実施の形態の例として２つの構成を示している。図に向かって左側は縫製糸３の非縫製部分が２つの接合部の内側（互いに近接する側）同士を連結するようにしたものであり、図に向かって右側は縫製糸３の非縫製部分が２つの接合部の外側（互いに離間する側）同士を連結するようにしたものである。
【００４４】
これらの構成のいずれにおいても、外装１には４つの側面部と天面部が設けられており、外装１は底面が開放された略直方体状に形成されている。そして、側面部同士が接合する部分と、側面部と天面部とが接合する部分に、それぞれフラップ２が設けられて接合部が形成されている。ただし、ここでは、側面部同士が接合する部分と、側面部と天面部とが接合する部分には、それぞれ１つずつ計２つの接合部が設けられているとする。
【００４５】
以上の前提のもと、まず、図８の図に向かって左側の構成について説明する。この構成は前述したように、縫製糸３の非縫製部分が２つの接合部の内側同士を連結するようにしたものである。すなわち、側面部同士及び側面部と天面部のそれぞれの接合部は、接合手段である１本の縫製糸３により接合され縫製部４が形成されている。そして、これら２つ接合部の縫製部４の、互いに近接した側に位置する端部同士は、これらの縫製部４を形成したものと同じ縫製糸３により連結されている。この、２つの縫製部４を連結する縫製糸３の部分は、縫製されていない非縫製部である。そして、この縫製糸３の非縫製部の略中央が引き位置３ａになっている。この引き位置３ａが設けられた縫製糸３の非縫製部分は、外装１の外面側に露出している。
【００４６】
このような構成の包装装置において、包装を開梱する際には、まず、縫製糸３の引き位置３ａを引く。すると、２つの接合部の縫製部４が、それぞれ内側の始点４ａから引き解されていく。そして、そのまま、縫製糸３の引き位置３ａを引き続け、外側の終点４ｂにまで縫合が解されると、それぞれの接合部における縫製糸３による接合が解かれて、これらの接合部が分離する。
【００４７】
次に、図８の図に向かって右側の構成について説明する。この構成は前述したように、縫製糸３の非縫製部分が２つの接合部の外側同士を連結するようにしたものである。すなわち、側面部同士及び側面部と天面部のそれぞれの接合部は、接合手段である１本の縫製糸３により接合され縫製部４が形成されている。そして、これら２つ接合部の縫製部４の、互いに離間した側に位置する端部同士は、これらの縫製部４を形成したものと同じ縫製糸３により連結されている。この、２つの縫製部４を連結する縫製糸３の部分は、縫製されていない非縫製部である。そして、この縫製糸３の非縫製部の略中央が引き位置３ａになっている。この引き位置３ａが設けられた縫製糸３の非縫製部分は、外装１の外面側に露出している。
【００４８】
このような構成の包装装置において、包装を開梱する際には、まず、縫製糸３の引き位置３ａを引く。すると、２つの接合部の縫製部４が、それぞれ外側の始点４ａから引き解されていく。そして、そのまま、縫製糸３の引き位置３ａを引き続け、内側の終点４ｂにまで縫合が解されると、それぞれの接合部における縫製糸３による接合が解かれて、これらの接合部が分離する。
【００４９】
なお、この実施の形態においても先の実施の形態３と同様に、２つの接合部の縫製部４が、縫製糸３の引き位置３ａに対して略対称に配置されている。従って、２つの接合部の両方に隣接する側面部の形状は略正方形であるということになる。そして、このような対称性により、縫製糸３の引き位置３ａを引くことにより各縫製部４にかかる力がほぼ等しくなり、各縫製部４が均等に引き解されるようになり、縫製部４を引き解す作業をスムーズに行うことができる。
【００５０】
また、ここでは、一箇所の引き位置３ａから２箇所の縫製部４の始点４ａにつながるように構成した例について説明したが、３箇所以上の始点につながり、３箇所以上の縫製部を分離できるような構成としてもよい。このような構成とすることによって、包装の形態やデザインに合わせて、複数の接合部分を分離し、複数の面を開放したり、面の一部のみを開放することができて、開梱した状態のデザインの自由度を高くすることが可能である。
【００５１】
実施の形態５．
図９から図１１は、この発明の実施の形態５に係るもので、図９は包装装置の全体構成を示す斜視図、図１０は包装装置の展開図、図１１は包装装置の被包装物の取出方法を説明する図である。
ここで説明する実施の形態５は、開梱手段である１本の縫製糸を引くことにより、外装の２面以上を開放することができるようにしたものである。ここでは、この開梱手段により開放される面を、側面部の１つと天面部の２面とした例について説明する。
【００５２】
外装１には４つの側面部と天面部と底面部が設けられており、４つの側面部を略角筒状とした上で、天面部により略角筒状の上側の開放端を、底面部により略角筒状の下側の開放端をそれぞれ覆うことにより、外装１は略直方体状に形成される。そして、１つの側面部に対して、当該側面部の両側の側面部の端部にフラップ２がそれぞれ設けられている。当該フラップ２が設けられた２つの側面部における、天面部と接合する端部にもフラップ２がそれぞれ設けられている。すなわち、側面部同士を接合するフラップ２が２つ、側面部と天面部とを接合するフラップ２が２つの計４つのフラップ２が設けられている。
【００５３】
接合手段である縫製糸３は、これら４つのフラップ２と接合される面との重合部を縫合することにより、側面部同士及び側面部と天面部とをそれぞれ接合している。ここで、フラップ２は複数あるため重合部も複数あることになるが、これら複数の重合部は、同じ１本の縫製糸３でもって縫製されている。そして、この縫製糸３による一連の縫製部４は一続きになっている。すなわち、まず、側面部同士を接合するフラップ２の一方の下側が始点４ａとされ、この始点４ａから上方へと縫製部４が形成される。次に、側面部と天面部とを接合する２つのフラップ２が縫製される。そして、側面部同士を接合するフラップ２の他方が縫製され、このフラップ２の下側に終点４ｂが形成される。
【００５４】
また、縫製糸３は始点４ａにおいて人が掴める程度に外装１の外面側へと延長されており、複数の接合部を分離する分離手段にもなっている。従って、このように構成された包装装置において、この包装を開梱する際には、まず、側面部同士の一方の接合部に設けられた始点４ａの縫製糸３の一端を引く。そして、縫製糸３を引き上げることにより、この接合部の縫製部４を引き解す。その後、そのまま、縫製糸３を引くと今度は側面部と天面部との２つの接合部における縫製部４が、続けて引き解される。側面部と天面部との２つの接合部の縫製部４が解された後は、縫製糸３を引き下げることにより、側面部同士の他方の接合部の縫製部４が引き解される。そして、この接合部の下端の終点４ｂまで縫製部４が引き解されると、外装１の側面部同士及び側面部と天面部とをそれぞれ接合する複数の接合部における縫製糸３による接合が解かれて、これらの接合部が分離する。
【００５５】
こうして、４つの接合部が分離すると、外装１の側面及び天面の２面を開放することが可能になる。従って、図１１に示すように、分離した接合部から外装１の側面及び天面を開いて開梱し、包装装置から被包装物を斜めに引き出すことが可能となり、被包装物を取り出す方向の自由度が増して開梱性が向上する。
【００５６】
なお、ここでは、１本の縫製糸３の一端である始点４ａを引き位置とする例について説明したが、実施の形態３や４のように、縫製糸３の中間部に非縫製部分を形成して、この非縫製部分に引き位置を設けるようにしてもよい。縫製糸３の中間部に引き位置を設けることにより縫製部を引き解す際に縫製糸を引く距離を短くすることができる。
また、他の構成については実施の形態１等と同様であって、その詳細説明は省略する。
【００５７】
このように構成された包装装置は、分離手段である縫製糸により接合部を分離することで、外装の２以上の面が開放可能になるものである。そして、この際、この開放可能となる２以上の面に、被包装物の長辺を含む面に相対する外装の面を含むようにすることにより、被包装物を取り出す方向の自由度が増して開梱性が向上する。
【００５８】
実施の形態６．
図１２及び図１３は、この発明の実施の形態６に係るもので、図１２は包装装置の全体構成を示す斜視図、図１３は包装装置の開梱状態を示す図である。
ここで説明する実施の形態６は、開梱手段である１本の縫製糸を引くことにより、包装装置の１面全体を包装装置から分離することができるようにしたものである。ここでは、この開梱手段により分離される１面を天面部とした例について説明する。なお、図１２及び図１３は、包装装置を天面部側から見た図である。
【００５９】
外装１には４つの側面部と天面部と底面部が設けられており、４つの側面部を略角筒状とした上で、天面部により略角筒状の上側の開放端を、底面部により略角筒状の下側の開放端をそれぞれ覆うことにより、外装１は略直方体状に形成される。そして、外装１の天面部に隣接する４つの側面部における天面部側の端部には、それぞれフラップ２が設けられて接合部が形成されている。すなわち、天面部の４辺のそれぞれについて１つずつ計４つのフラップ２が設けられている。
【００６０】
接合手段である縫製糸３は、これら４つのフラップ２と接合される面との重合部を縫合することにより、側面部と天面部とを接合している。ここで、フラップ２は複数あるため重合部も複数あることになるが、これら複数の重合部は、同じ１本の縫製糸３でもって縫製されている。そして、この縫製糸３による一連の縫製部４は一続きになっている。すなわち、天面部の１つの頂点近傍が始点４ａとされ、この始点４ａから天面部の周縁に沿うようにして、４つのフラップ２が縫製される。そして、始点４ａが設けられたフラップ２に隣接したフラップ２の始点４ａと近接した位置に、終点４ｂが形成される。なお、ここでは、始点４ａ及び終点４ｂを天面部の頂点近傍としたが、始点４ａ及び終点４ｂは天面部の辺の中央等に配置するようにしてもよい。
【００６１】
また、縫製糸３は始点４ａにおいて人が掴める程度に外装１の外面側へと延長されており、複数の接合部を分離する分離手段にもなっている。従って、このように構成された包装装置において、この包装を開梱する際には、まず、この始点４ａの縫製糸３の一端を引く。そして、縫製糸３を引き続けることにより、天面部と４つの側面部とを接合する４つの接合部の縫製部４が終点４ｂまで引き解される。外装１の側面部と天面部を接合する複数の接合部における縫製糸３による接合が解かれて、これらの接合部が分離する。
【００６２】
こうして、４つの接合部が分離すると、外装１の１面である天面を外装１の他の部分から完全に分離することが可能になる。従って、図１３に示すように、分離した接合部から外装１の天面を蓋のように分離することができる。例えば、被包装物が小型である場合、被包装物が梱包された本体を一方の手に持ち、他方の手で開梱手段（縫製糸）の引き位置を引くことによって、蓋を外すように開梱することができる。そして、開口面を下方に向けることによって、被包装物を容易に取り出すことができる。また、本実施の形態では、略直方体ではなく、円柱や多角柱状の包装として、蓋部分を分離するようにしてもよい。さらに、１つの面だけでなく２以上の面が分離されるようにしてもよい。
【００６３】
なお、以上説明した実施の形態１〜６において、外装が被包装物の６面全体を覆うように形成する場合、接合手段及び開梱手段が設けられる接合部以外に、別途、被包装物を包装装置内に収納するための開口部を設けるようにすることが好ましい。すなわち、被包装物の梱包工程では、まず、所定の接合部を縫製糸により縫製して接合手段及び開梱手段を設ける。そして、この接合手段及び開梱手段が設けられた接合部以外の別の箇所に設けた開口部から被包装物を入れ、当該開口部をテープや接着剤等により封じる。
【符号の説明】
【００６４】
１    外装
２    フラップ
３    縫製糸
３ａ  引き位置
４    縫製部
４ａ  始点
４ｂ  終点
【図１】
0005327196.tif 000002
【図２】
0005327196.tif 000003
【図３】
0005327196.tif 000004
【図４】
0005327196.tif 000005
【図５】
0005327196.tif 000006
【図６】
0005327196.tif 000007
【図７】
0005327196.tif 000008
【図８】
0005327196.tif 000009
【図９】
0005327196.tif 000010
【図１０】
0005327196.tif 000011
【図１１】
0005327196.tif 000012
【図１２】
0005327196.tif 000013
【図１３】
0005327196.tif 000014